(57)【要約】      （修正有）【課題】耐久性に優れ、優れた導電性を示すバッテリーコネクタを提供する。【解決手段】バッテリーコネクタは、絶縁ハウジング１０、複数の端子２０および一つの保持ブラケット３０を備える。端子２０は絶縁ハウジング１０に取り付けられ、各端子２０は絶縁ハウジング１０から伸張する接続部分２１を有する。保持ブラケット３０は、絶縁ハウジング１０を覆い、また頂部、両側部および２つの保護部３４を有する。保護部３４は、前記両側部に形成され該両側部からそれぞれ前方に向けて突出し、絶縁ハウジング１０の前面に関して前方へ伸張する。端子２０は、保護部３４によって保護され、端子２０を押し付けるバッテリーによって恒久的な変形を生じない。【選択図】図１
0003145089.tif 000002
【実用新案登録請求の範囲】
【請求項１】
絶縁ハウジングと、複数の端子と、保持ブラケットとを含むバッテリーコネクタであって、
前記絶縁ハウジングは、前面、後面、上面、底面、両側面、複数の空所および複数の保持スロットを備え、前記複数の空所は前記絶縁ハウジングの前記前面および前記底面に開放し、前記各空所は、両内側壁、前記絶縁ハウジングの前記前面に形成された前開口および２つの規制リップを有し、該規制リップは、前記両内側壁のそれぞれに形成され、該内側壁からそれぞれが間隔をおくように突出し、また前記前開口に近接して形成され、前記複数の保持スロットは、前記空所のそれぞれに対応して該空所に連通し、前記空所の後方で前記絶縁ハウジングの前記底面に開放しており、前記各保持スロットは内面を有し、
前記複数の端子は、前記空所および前記保持スロットに対応して、前記空所にそれぞれ取り付けられまた前記保持スロットにそれぞれ取り付けられ、前記各端子は、対応する前記空所の前記前開口から突出する接続部分であって端末および該端末に形成され該端末から横方向に突出し、対応する前記空所の前記規制リップの一つに引っ掛かるフックを有する接続部分と、該接続部分の前記フックと反対側で前記接続部分から突出して形成され対応する前記空所に取り付けられる弾性部分と、該弾性部分に該弾性部分から突出して形成され、対応する前記保持スロットに取り付けられる本体部分であって該本体部分に形成され該本体部分から横方向に突出し、対応する前記保持スロットの前記内面に強固に当接する２つの反対方向の鋭い突出部を有する本体部分と、該本体部分に形成され該本体部分から突出するはんだ付部分とを備え、
前記保持ブラケットは、前記絶縁ハウジングの前記上面および前記両側面を覆い、前記絶縁ハウジングの前記上面に設置される上部と、該上部に該上部と直角に突出して形成され前記絶縁ハウジングの前記両側のそれぞれに設置され、またそれぞれが底端を有する対向する両側部と、該両側部の前記底端に該底端のそれぞれから突出して形成された２つの取付け部と、該取付け部に前記底端に近接して前記取付け部から前方および上方にそれぞれ突出して形成され、前記絶縁ハウジングの前記前面よりも前方に伸張する２つの保護部とを備え、該各保護部は、前記取付け部の一つに該取付け部から突出して形成された弾性セクションと、該弾性セクションに突出して形成された湾曲する当接セクションとを有する、バッテリーコネクタ。
【請求項２】
前記保持ブラケットの前記各保護部の前記当接セクションは、バッテリーに当接すべく適応される湾曲した前エッジを有する、請求項１に記載のバッテリーコネクタ。
【請求項３】
前記保持ブラケットの前記各保護部の前記当接セクションは、さらに、前記前エッジから内方へ横方向に突出して形成され前記バッテリーに当接して適用される湾曲した当接タブを有する、請求項２に記載のバッテリーコネクタ。
【請求項４】
前記保持ブラケットの前記保護部の前記弾性セクションは、湾曲し、Ｌ字形である、請求項３に記載のバッテリーコネクタ。
【請求項５】
前記絶縁ハウジングは、さらに、前記絶縁ハウジングの前記底面に突出して形成された複数の取付けブロックを有する、請求項４に記載のバッテリーコネクタ。
【請求項６】
前記絶縁ハウジングは、さらに、該絶縁ハウジングの前記両側から突出して形成された２つの対向する取付けブロックを有し、前記保持ブラケットの前記各側部は、さらに、該側部を貫通して形成され前記取付けブロックの一つを取り巻いて取り付ける取付け孔を有する、請求項５に記載のバッテリーコネクタ。
【考案の詳細な説明】
【技術分野】
【０００１】
本考案は、コネクタに関し、より詳細には、耐久性に優れ、優れた導電性を示すバッテリーコネクタに関する。
【背景技術】
【０００２】
中国特許Ｎｏ．２，６７９，８６２号明細書は、プリント基板（ＰＣＢ）に取り付けられ、絶縁ハウジング、保持ブラケットおよび複数の端子を有する従来のバッテリーコネクタを開示する。前記保持ブラケットは、前記ＰＣＢ上に取り付けられ、該ＰＣＢ上で前記絶縁ハウジングを確実に保持すべく前記絶縁ハウジングを取り巻いて取付けられている。前記端子は前記絶縁ハウジングに取り付けられる。
【０００３】
しかしながら、長期間にわたってバッテリーを押し付ける前記端子は、疲労し易く、回復できない永久歪みを生じる。前記バッテリーコネクタを有する電子機器が当たるか、落ちると、前記バッテリーコネクタの端子は容易に破損し易い。
【０００４】
前記の欠点を克服すべく、本考案は、前記した問題を緩和あるいは除去するバッテリーコネクタを提供する。
【０００５】
【特許文献１】中国特許Ｎｏ．２，６７９，８６２号明細書
【考案の開示】
【考案が解決しようとする課題】
【０００６】
本考案の主たる目的は、耐久性に優れ、優れた導電性を示すバッテリーコネクタを提供することにある。
【課題を解決するための手段】
【０００７】
本考案に係るバッテリーコネクタは、絶縁ハウジング、複数の端子および１つの保持ブラケットを含む。前記端子は前記絶縁ハウジングに取り付けられ、前記各端子は前記絶縁ハウジングから突出する接続部分を備える。前記保持ブラケットは、前記絶縁ハウジングを覆い、上部、両側部および２つの保護部を備える。前記保護部は、前記両側部にそれぞれ該両側部から前方へ突出して形成されており、前記絶縁ハウジングの前面に関して前方へ伸張する。前記端子は、前記保護部によって保護され、前記端子を押し付けるバッテリーによる恒久的な変形を生じない。
【０００８】
本考案の他の目的、利点および新規な特徴は、添付図面に関連しての以下の詳細な説明により、さらに明白になるであろう。
【考案を実施するための最良の形態】
【０００９】
図１、２、５Ａおよび５Ｂを参照するに、本考案に係るバッテリーコネクタ（１００）は、プリント基板（ＰＣＢ）（Ａ）に取付けられており、絶縁ハウジング（１０）、複数の端子（２０）および保持ブラケット（３０、３０ｂ）から成る。
【００１０】
さらに図３を参照するに、絶縁ハウジング（１０）は、前面（１１）、後面（１２）、上面（１３）、底面（１４）、両側面（１５）、複数の空所（１６）および複数の保持スロット（１６２）を備え、さらに、２つの取付けブロック（１５１）および複数の取付け支柱（１４２）を備えることができる。
【００１１】
空所（１６）は、絶縁ハウジング（１０）の前面（１１）および底面（１４）に開放しており、各空所（１６）は、２つの対向する内側壁、前開口（１１１）および２つの規制リップ（１６１）を備え、さらに、２つの対向する仕切り（１６３）を備えることができる。前開口（１１１）は、絶縁ハウジング（１０）の前面（１１）に形成されている。規制リップ（１６１）は、前記両内側壁のそれぞれに形成され、該内側壁からそれぞれが間隔をおくように突出し、また前開口（１１１）に隣接する。仕切り（１６３）は、前記両内側壁のそれぞれに形成され、該内側壁からそれぞれが間隔をおくように突出し、規制リップ（１６１）の後方に在る。
【００１２】
保持スロット（１６２）は、空所（１６）のそれぞれに対応して該空所に連通し、空所（１６）の後方で絶縁ハウジング（１０）の底面（１４）に開放している。各保持スロット（１６２）は、対応する空所（１６）の仕切り（１６３）により対応する空所（１６）から分離されており、内面を有する。
【００１３】
取付けブロック（１５１）は、絶縁ハウジング（１０）の側面（１５）に形成されており、該側面から突出する。
【００１４】
取付け支柱（１４２）は、絶縁ハウジング（１０）の底面（１４）に形成され、該底面から突出し、ＰＣＢ（Ａ）を貫通して取り付けられる。
【００１５】
図４を参照するに、端子（２０）は、空所（１６）および保持スロット（１６２）にそれぞれ対応し、空所（１６）にそれぞれ取り付けられまた保持スロット（１６２）にそれぞれ取り付けられる。各端子（２０）は、接続部分（２１）、弾性部分（２３）、本体部分（２２）およびはんだ付部分（２４）を備える。
【００１６】
接続部分（２１）は、Ｕ字形であり、対応する空所（１６）の前開口（１１１）から突出し、末端およびフック（２１１）を有する。フック（２１１）は、前記端末に形成され、該端末から横方向に突出し、接続部分（２１）が空所（１６）から落下することを防止すべく、対応する空所（１６）の規制リップ（１６１）に引っ掛かる。
【００１７】
弾性部分（２３）は、Ｓ字形であり、接続部分（２１）に形成されており、フック（２１１）と反対側で接続部分（２１）から突出し、対応する空所（１６）に取り付けられる。
【００１８】
本体部分（２２）は、弾性部分（２３）に形成され、該弾力部分から突出し、対応する保持スロット（１６２）内に取り付けられ、本体部分（２２）は２つの反対方向の鋭い突出部（２２１）を備える。鋭い突出部（２２１）は、本体部分（２２）に形成され該本体部分から横方向に突出し、端子（２０）が揺れて移動することを防止すべく、対応する保持スロット（１６２）の前記内面に強固に当接する。
【００１９】
はんだ付部分（２４）は、本体部分（２２）に形成され、該本体部分から突出し、ＰＣＢ（Ａ）の接点にはんだ付けされる。
【００２０】
保持ブラケット（３０、３０ｂ）は、金属から成り、Ｕ字形であり、スタンピング工程によって薄板で形成することができ、絶縁ハウジング（１０）に装着され、該絶縁ハウジング（１０）の両側面（１５）を覆い、前記ＰＣＢ（Ａ）上に絶縁ハウジング（１０）を確実に保持するために、ＰＣＢ（Ａ）上に取り付けられる。保持ブラケット（３０、３０ｂ）は、上部（３１）、両側部（３２）、２つの取付け部（３３）および２つの保護部（３４）を備える。
【００２１】
上部（３１）は、絶縁ハウジング（１０）の上面（１３）に設置される。
【００２２】
両側部（３２）は、上部（３１）に形成され該上部から直角に突出し、絶縁ハウジング（１０）の両側面（１５）のそれぞれに設置され、各側部（３２）は底端を有し、さらに取付け孔（３２１）を有することができる。取付け孔（３２１）は、側部（３２）を貫通して形成され、保持ブラケット（３０、３０ｂ）が落下することを防止するために取付けブロック（１５１）の１つに取り付けられる。
【００２３】
取付け部（３３）は、両側部（３２）の前記底端に形成され、該底端のそれぞれから突出し、ＰＣＢ（Ａ）を貫通して取り付けられる。
【００２４】
保護部（３４）が、取付け部（３３）に形成されており、前記底端に近接して取付け部（３３）から前方および上方にそれぞれ突出し、絶縁ハウジング（１０）の前面（１１）よりも前方へ伸張し、保護部（３４）は、バッテリーの不意の移動を防止すべく保護部（３４）間にバッテリーが設置されることを可能にする。各保護部（３４）は、弾性セクション（３４２）および当接セクション（３４１）を有する。弾性セクション（３４２）は湾曲し、Ｌ字形であり、取付け部（３３）に形成され、該取付け部から突出する。当接セクション（３４１）は、湾曲し、Ｖ字形であり、弾性セクション（３４２）に形成され該セクションから突出し、また湾曲した前エッジ（３４１１）および当接タブ（３４１２）を有することができる。湾曲した前エッジ（３４１１）は前記バッテリーに当接し、該バッテリーが端子（２０）の接続部分（２１）を過剰に押圧して端子（２０）に回復できない歪みを引き起こすことを防止する。当接タブ（３４１２）は、湾曲し、湾曲した前エッジ（３４１１）に形成され、該前エッジから内方横方向へ突出し、前記バッテリーに当接して、保護部（３４）および前記バッテリー間での接触エリアを増大させる。
【００２５】
保持ブラケット（３０）の保護部（３４）は、送電の失敗を引き起こす前記バッテリーの横方向への移動を防止する。さらに、保護部（３４）の当接セクション（３４１）は、前記バッテリーに当接して該バッテリーが端子（２０）の接続部分（２１）を過度に押し付けることを防止する。保護部（３４）によって保護された端子（２０）は、回復できない恒久的な変形を生じない。したがって、保持ブラケット（３０）を備える前記バッテリーコネクタは、耐久性に優れ、優れた導電性を示す。
【図面の簡単な説明】
【００２６】
【図１】本考案に係るバッテリーコネクタの一部を分解して示す斜視図である。
【図２】図１の前記バッテリーコネクタの分解斜視図である。
【図３】図１の前記バッテリーコネクタの斜視図である。
【図４】図１の前記バッテリーコネクタの端子の斜視図である。
【図５Ａ】図２の前記バッテリーコネクタの保持ブラケットの第１の変形例を示す斜視図である。
【図５Ｂ】図２の前記バッテリーコネクタの保持ブラケットの第２の変形例を示す斜視図である。
【符号の説明】
【００２７】
１０  絶縁ハウジング
１１  前面
１１１  前開口
１２  後面
１３  上面
１４  底面
１５  両側面
１５１  取付けブロック
１６  空所
１６１  規制リップ
１６２  保持スロット
１６３  仕切り
２０  端子
２１  接続部分
２２  本体部分
２２１  鋭い突出部
２３  弾性部分
２４  はんだ付部分
３０、３０ｂ  保持ブラケット
３１  上部
３２  両側部
３２１  取付け孔
３３  取付け部
３４  保護部
３４１  当接セクション
３４１１  前エッジ
３４１２  当接タブ
３４２  弾性セクション
【図１】
0003145089.tif 000003
【図２】
0003145089.tif 000004
【図３】
0003145089.tif 000005
【図４】
0003145089.tif 000006
【図５Ａ】
0003145089.tif 000007
【図５Ｂ】
0003145089.tif 000008